(57)【要約】【課題】固定具がオスコネクタとメスコネクタとを締め付けを緩める方向へ移動するのを確実に阻止することができるようにする。【解決手段】オスコネクタ（２）の前方部（２Ｆ）をメスコネクタ（１５）の後方部（１５Ｂ）に接続し、当該接続部を外周から固定具（１０）で締め付けて固定するとき、オスコネクタ（２）の係止部（４）の第２端部側が、固定具（１０）の第１テーパ（Ｔ１）に係止され、オスコネクタ（２）の係止部（４）の第２端部側と固定具（１０）の第１テーパー（ＴＰ１）との摩擦抵抗により、固定部（１０）が締め付けの緩む方向である第２端部側に移動するのを阻止して、オスコネクタ（２）とメスコネクタ（１５）の接続部の締め付けの緩みを防止することができるようにした接続部材（１）。【選択図】図４
2013090914.tif 000002
【特許請求の範囲】
【請求項１】
オスコネクタ（２）と固定具（１０）とメスコネクタ（１５）とを有し、
前記オスコネクタ（２）、前記固定具（１０）及び前記メスコネクタ（１５）は、長手方向と当該長手方向に略垂直に交差する側部方向とを有し、
当該長手方向は第１端部と第２端部とを有し、
前記オスコネクタ（２）は、第１端部側に前方部（２Ｆ）を有し、第２端部側に後方部（２Ｂ）を有し、前記前方部（２Ｆ）と前記後方部（２Ｂ）との間に中間部（２Ｍ）を有し、当該中間部（２Ｍ）の側部方向に係止部（４）を突設し、
前記固定具（１０）は、第１端部側に前方部（１０Ｆ）を有し、第２端部側に後方部（１０Ｂ）を有し、
前記前方部（１０Ｆ）は、内壁面に螺子（１１）を形成し、
前記後方部（１０Ｂ）の内壁面は、第２端部側から第１端部側に向けて、突部（１１Ｔ）と第１テーパー（ＴＰ１）を形成し、
前記第１テーパー（ＴＰ１）は、前記第２端部側から第１端部側に上るように形成し、
前記後方部（１０Ｂ）は、第１内径（ＩＤ１）と第２内径（ＩＤ２）とを有し、
前記メスコネクタ（１５）は、第１端部側に前方部（１５Ｆ）を有し、第２端部側に後方部（１５Ｂ）を有し、
前記後方部（１５Ｂ）は、第２端部側の側部方向に螺子（１８）を形成し、前記螺子（１８）は、前記固定具（１０）の螺子（１１）と螺合する螺子であり、
前記オスコネクタ（２）の前方部（２Ｆ）を前記メスコネクタ（１５）の後方部（１５Ｂ）に接続し、当該接続部を外周から前記固定具（１０）で締め付けて固定するとき、
前記オスコネクタ（２）の係止部（４）の第２端部側が、前記前記固定具（１０）の前記第１テーパー（Ｔ１）に係合され、前記オスコネクタ（２）の係止部（４）の第２端部側と前記固定具（１０）の第１テーパー（ＴＰ１）との摩擦抵抗により、
前記固定具（１０）が前記締め付けの緩む方向である第２端部側に移動するのを阻止して、前記オスコネクタ（２）と前記メスコネクタ（１５）の接続部の締め付けの緩みを防止することができるようにした、ことを特徴とする接続部材（１）。
【請求項２】
請求項１に記載の接続部材（１）において、前記固定具（１０）に代えて、
突部（１１Ｔ´）の第１端部側に段部（１１ＤＳ）を形成した固定具（１０´）を有し、
前記第１テーパー（ＴＰ１）の第２端部側にストレート部（１１Ｓ）を形成し、当該ストレート部（１１Ｓ）の第２端部側に前記段部（１１ＤＳ）を形成し、
前記オスコネクタ（２）の係止部（４）の第２端部側が、前記固定具（１０´）の第１テーパー（ＴＰ１）に接触し、
前記係止部（４）の第２端部側は、前記第１テーパー（ＴＰ１）に沿って下るように、第２端部方向に移動し、
前記係止部（４）の第２端部側は、前記ストレート部（１１Ｓ）を経て、前記段部（１１ＤＳ）と接触し、
前記係止部（４）の第２端部４．２Ｔ側は、外側から前記固定具（１０´）のストレート部（１１Ｓ）より外圧を受け、さらに前記段部（１１ＤＳ）に接触して固定され、
前記オスコネクタ（２）の係止部（４）の第２端部（４．２Ｔ）側は、前記ストレート部（１１Ｓ）との摩擦抵抗と、前記段部（１１ＤＳ）との接触により、
前記固定部（１０´）が緩む方向である第２端部側に移動して、オスコネクタ（２）とメスコネクタ（１５）の接続部の締め付けの緩みを防止することができるようにした、ことを特徴とする接続部材（１）。
【請求項３】
前記固定具（１０、１０´）の後方部（１０Ｆ）の第１内径ＩＤ１は、第１テーパーＴＰ１の第２端部側から前記後方部（１０Ｆ）の第１端部側の内径であり、
前記固定具（１０、１０´）の後方部（１０Ｆ）の第２内径ＩＤ２は、前記突部（１１Ｔ）を形成した区域の内径であり、
前記第１内径ＩＤ１と前記第２内径ＩＤ２の大きさは、ＩＤ１＞ＩＤ２となるように形成した、ことを特徴とする請求項１または請求項２に記載の接続部材（１）。
【請求項４】
前記オスコネクタ（２）の係止部（４）は側部方向に外径４Ｄを有し、
当該外径４Ｄの大きさと、前記固定具（１０、１０´）の後方部（１０Ｂ）の第１内径ＩＤ１及び第２内径ＩＤ２の大きさの関係は、
（Ａ）第１内径ＩＤ１＞外径４Ｄ＞第２内径ＩＤ２の順に大きく形成するか、または
（Ｂ）前記第１内径ＩＤ１と前記係止部（４）の外径４Ｄを同じに形成し、当該第１内径ＩＤ１及び前記係止部（４）の外径４Ｄを、前記第２内径ＩＤ２よりも大きく形成し、
（第１内径ＩＤ１＝外径４Ｄ）＞第２内径ＩＤ２となるように形成した、
ことを特徴とする請求項１から請求項３のいずれか１項に記載の接続部材（１）。
【請求項５】
前記外径４Ｄの大きさを１００とすると、
前記第二内径（ＩＤ２）は、８０以上〜９９以下に形成し、
前記第一内径（ＩＤ１）大きさは、１００以上〜１１０以下に形成したことを特徴とする請求項１から請求項４のいずれか１項に記載の接続部材（１）。
【請求項６】
前記固定具（１０、１０´）の第１テーパーＴＰ１の勾配（θ１）を、１５度〜７５度に形成したことを特徴とする請求項１から請求項５のいずれか１項に記載の接続部材（１）。
【請求項７】
前記オスコネクタ（２）を硬質部材で形成し、前記固定具（１０、１０´）を半硬質部材で形成するか、または
前記オスコネクタ（２）を半硬質部材で形成し、前記固定具（１０、１０´）を硬質部材で形成したことを特徴とする請求項１から請求項６のいずれか１項に記載の接続部材（１）。
【請求項８】
前記固定具（１０´）の後方部（１０Ｂ）は、第３内径ＩＤ３を有し、
当該第３内径ＩＤ３は、前記第１テーパーＴＰ１の第２端部側から前記突起部（１１Ｔ´）の段部（１１ＤＳ）に至るまでの内径であり、
当該第３内径ＩＤ３、前記第１内径ＩＤ１及び第２内径ＩＤ２との大きさは、ＩＤ１＞ＩＤ３＞ＩＤ２となるように形成したことを特徴とする請求項２から請求項７のいずれか１項に記載の接続部材（１）。
【請求項９】
前記係止部（４）の外径４Ｄと前記第３内径ＩＤ３の大きさは、外径４Ｄ＞第３内径ＩＤ３となるように形成したことを特徴とする請求項８に記載の接続部材（１）。
【請求項１０】
請求項１から請求項９のいずれか１項に記載の接続部材（１）を有することを特徴とする医療用具。
【発明の詳細な説明】
【技術分野】
【０００１】
本発明は、固定具付の接続部材の改良に関する。接続部材の接続部を固定具で締め付けた後も、固定具の締め付けが緩んだり外れることのない接続部材に関する。本願の接続部材は、血液の体外循環回路、カテーテル類、輸液・輸血セット等の医療用具に使用される。
固定具とは、例えば「ルアーロック」と称するものを意味するが、「ルアーロック」と同等の機能を有するものは全て含まれる。
接続部材とは、例えば「オスコネクタとメスコネクタ」と称するコンビネーション部材を意味するが、これらと同等の機能を有するものは全て含まれる。
【背景技術】
【０００２】
図１４は、公知の接続部材５１とその使用状態図である。
図１４（Ａ）（オスコネクタとメスコネクタの接続前）に例示するように接続部材５１は、オスコネクタ５２と固定具６０とメスコネクタ６５とから構成される。
図１４に例示するように、接続部材５１を構成するオスコネクタ５２、固定具６０、メスコネクタ６５等の管状（またはチューブ状、筒状という場合もある）の部材ないし当該管状の部材の形態を一部でも含む各構成部品は、長手方向と当該長手方向に略垂直に交差する側部（外周）方向とを有する。
【０００３】
オスコネクタ５２の長手方向は、メスコネクタ６５と接続する際に、メスコネクタ６５に近い端部を第１端部、メスコネクタ６５から遠い端部を第２端部として記載する。
メスコネクタ６５の長手方向は、オスコネクタ５２と接続する際に、オスコネクタ５２に近い端部を第２端部、オスコネクタ５２から遠い端部を第１端部として記載する。
固定具６０の長手方向は、メスコネクタ６５に近い端部を第１端部、メスコネクタ６５から遠い端部を第２端部として記載する。
【０００４】
図１４（Ｂ）（接続開始）に例示するように、固定具６０をオスコネクタ５２の第２端部側から側部方向に装着する。
図１４（Ｃ）（固定具で締め付ける状態）に例示するように、オスコネクタ５２の第１端部側とメスコネクタ６５の第２端部側とを接合し、メスコネクタ６５の第２端部側の側部方向に形成した係止部６８を、固定具６０の内壁面に形成した螺子部６１に係止する。さらに固定具６０を右回転させて、螺子部６１により、オスコネクタ５２とメスコネクタ６５の接続部の外周から締め付けて固定するようにしている。
図１４（Ｄ）は固定具の締め付けを緩める状態を示す概略図である。
【０００５】
このように固定具６０を右回転させて、その螺子部６１により、接続部の外周を締め付けているので、（ａ）締め付けが緩すぎると、衝撃や振動を受けた場合、逆方向に回転して、簡単にはずれてしまうことがあった。（ｂ）逆に締め付ける力が強すぎるとオスコネクタ５２とメスコネクタ６５の接続が解除できなくなったり、メスコネクタ６５にひび割れが発生する等の難点があった。（ｃ）固定具６０は、内壁面に形成した螺合部６１とメスコネクタ６５の螺子部６８との摩擦、並びに螺子部６１の後方内壁面とオスコネクタ５２の側部方向に形成した係止部５４との摩擦で固定されているので、緩みやすかった。
【０００６】
ところで、特許文献１には、ロック部材（固定具）及びコネクタの種類によらず、オスコネクタとメスコネクタとを緩み難く接合することが可能なオスコネクタの発明が記載されている。
すなわち図１５に例示するようにオスコネクタ１０１の第２端部側の側部方向に、拡大部１１５を形成している。図１５では、拡大部１１５の機能がよく理解できるように、拡大部１１５を長手方向きに拡大して記載している。
【０００７】
拡大部１１５は、オスコネクタ１０１とメスコネクタ１０３とを嵌合（接合）し、かつロックナット（固定具）１０２とメスコネクタ１０３とが螺合した状態で、ロックナット１０２の第２端部側に形成した貫通孔１０２Ｏを側部方向に押し広げることにより、ロックナットの緩みを防いでいる。
さらにいえば、拡大部１１５は、第２端部方向から第1端部方向へ上る（第１端部方向から第２端部方向へ下る）テーパー１１５Ｔを有している。
ロックナット１０２は、テーパー１１５Ｔに沿って第１端部方向へ移動するときに、オスコネクタとメスコネクタを締め付け、テーパー１１５Ｔに沿って第２端部方向へ移動するときに、オスコネクタとメスコネクタを締め付け状態から緩めるように機能する。
【先行技術文献】
【特許文献】
【０００８】
【特許文献１】特開２００７−３３０３４号公報（図１、図２）
【発明の概要】
【発明が解決しようとする課題】
【０００９】
公知の接続部材５１は、（ａ）締め付けが緩すぎると、衝撃や振動を受けた場合、逆方向に回転して、簡単にはずれてしまう。（ｂ）逆に締め付ける力が強すぎるとオスコネクタ５２とメスコネクタ６５の接続が解除できなくなったり、メスコネクタ６５にひび割れが発生する。（ｃ）内壁面に形成した螺合部６１とメスコネクタ６５の螺子部６８との摩擦、並びに螺子部６１の後方内壁面とオスコネクタ５２の側部方向に形成した係止部５４との摩擦で固定されているので、緩みやすかった。
【００１０】
特許文献１に記載の発明は、ロックナット１０２の貫通孔１０２Ｏを押し広げる度合い（程度）を大きな設計にすると締め付けを確実に行うことができる。その反面、あまり大きな設計にし過ぎると、貫通孔１０２Ｏを押し広げるのに大きな力が必要となり、操作性が悪くなる。
他方、貫通孔を押し広げる度合い（程度）をあまり小さな設計にしすぎると、貫通孔１０２Ｏを押し広げるのは容易となるが（小さな力で十分）、締め付ける力が弱くなりすぎる。
さらにいえば、オスコネクタ１０１の拡大部１１５は、第１端部方向から第２端部方向へ下るテーパー１１５Ｔを有するので、拡大部１１５の形態（長さ、テーパ）を、貫通孔を押し広げる度合い（程度）をあまり小さな設計にしすぎると、ロックナット１０２がテーパー１１５Ｔに沿って第２端部方向（オスコネクタとメスコネクタを締め付け状態から緩めるように機能する方向）への移動を阻止することができなくなる。
【課題を解決するための手段】
【００１１】
そこで本発明者は、以上の課題を解決するために鋭意検討を重ねた結果、次の発明に到達した。本発明にしたがえば、以下の接続部材が提供される。
［１］本発明は、オスコネクタ（２）と固定具（１０）とメスコネクタ（１５）とを有し、
前記オスコネクタ（２）、前記固定具（１０）及び前記メスコネクタ（１５）は、長手方向と当該長手方向に略垂直に交差する側部方向とを有し、
当該長手方向は第１端部と第２端部とを有し、
前記オスコネクタ（２）は、第１端部側に前方部（２Ｆ）を有し、第２端部側に後方部（２Ｂ）を有し、前記前方部（２Ｆ）と前記後方部（２Ｂ）との間に中間部（２Ｍ）を有し、当該中間部（２Ｍ）の側部方向に係止部（４）を突設し、
前記固定具（１０）は、第１端部側に前方部（１０Ｆ）を有し、第２端部側に後方部（１０Ｂ）を有し、
前記前方部（１０Ｆ）は、内壁面に螺子（１１）を形成し、
前記後方部（１０Ｂ）の内壁面は、第２端部側から第１端部側に向けて、突部（１１Ｔ）と第１テーパー（ＴＰ１）を形成し、
前記第１テーパー（ＴＰ１）は、前記第２端部側から第１端部側に上るように形成し、
前記後方部（１０Ｂ）は、第１内径（ＩＤ１）と第２内径（ＩＤ２）とを有し、
前記メスコネクタ（１５）は、第１端部側に前方部（１５Ｆ）を有し、第２端部側に後方部（１５Ｂ）を有し、
前記後方部（１５Ｂ）は、第２端部側の側部方向に螺子（１８）を形成し、前記螺子（１８）は、前記固定具（１０）の螺子（１１）と螺合する螺子であり、
前記オスコネクタ（２）の前方部（２Ｆ）を前記メスコネクタ（１５）の後方部（１５Ｂ）に接続し、当該接続部を外周から前記固定具（１０）で締め付けて固定するとき、
前記オスコネクタ（２）の係止部（４）の第２端部側が、前記前記固定具（１０）の前記第１テーパー（Ｔ１）に係合され、前記オスコネクタ（２）の係止部（４）の第２端部側と前記固定具（１０）の第１テーパー（ＴＰ１）との摩擦抵抗により、
前記固定具（１０）が前記締め付けの緩む方向である第２端部側に移動するのを阻止して、前記オスコネクタ（２）と前記メスコネクタ
（１５）の接続部の締め付けの緩みを防止することができるようにした接続部材（１）を提供する。
【００１２】
[２]本発明は、[１]に記載の接続部材（１）において、前記固定具（１０）に代えて、
突部（１１Ｔ´）の第１端部側に段部（１１ＤＳ）を形成した固定具（１０´）を有し、
前記第１テーパー（ＴＰ１）の第２端部側にストレート部（１１Ｓ）を形成し、当該ストレート部（１１Ｓ）の第２端部側に前記段部（１１ＤＳ）を形成し、
前記オスコネクタ（２）の係止部（４）の第２端部側が、前記固定具（１０´）の第１テーパー（ＴＰ１）に接触し、
前記係止部（４）の第２端部側は、前記第１テーパー（ＴＰ１）に沿って下るように、第２端部方向に移動し、
前記係止部（４）の第２端部側は、前記ストレート部（１１Ｓ）を経て、前記段部（１１ＤＳ）と接触し、
前記係止部（４）の第２端部４．２Ｔ側は、外側から前記固定具（１０´）のストレート部（１１Ｓ）より外圧を受け、さらに前記段部（１１ＤＳ）に接触して固定され、
前記オスコネクタ（２）の係止部（４）の第２端部（４．２Ｔ）側は、前記ストレート部（１１Ｓ）との摩擦抵抗と、前記段部（１１ＤＳ）との接触により、
前記固定部（１０´）が緩む方向である第２端部側に移動して、オスコネクタ（２）とメスコネクタ（１５）の接続部の締め付けの緩みを防止することができるようにした接続部材（１）を提供する。
[３]本発明は、前記固定具（１０、１０´）の後方部（１０Ｆ）の第１内径ＩＤ１は、第１テーパーＴＰ１の第２端部側から前記後方部（１０Ｆ）の第１端部側の内径であり、
前記固定具（１０、１０´）の後方部（１０Ｆ）の第２内径ＩＤ２は、前記突部（１１Ｔ）を形成した区域の内径であり、
前記第１内径ＩＤ１と前記第２内径ＩＤ２の大きさは、ＩＤ１＞ＩＤ２となるように形成した［１］または［２］に記載の接続部材（１）を提供する。
[４]本発明は、前記オスコネクタ（２）の係止部（４）は側部方向に外径４Ｄを有し、
当該外径４Ｄの大きさと、前記固定具（１０、１０´）の後方部（１０Ｂ）の第１内径ＩＤ１及び第２内径ＩＤ２の大きさの関係は、
（Ａ）第１内径ＩＤ１＞外径４Ｄ＞第２内径ＩＤ２の順に大きく形成するか、または（Ｂ）前記第１内径ＩＤ１と前記係止部（４）の外径４Ｄを同じに形成し、当該第１内径ＩＤ１及び前記係止部（４）の外径４Ｄを、前記第２内径ＩＤ２よりも大きく形成し、
（第１内径ＩＤ１＝外径４Ｄ）＞第２内径ＩＤ２となるように形成した［１］から［３］のいずれか１に記載の接続部材（１）を提供する。
[５]本発明は、前記外径４Ｄの大きさを１００とすると、
前記第二内径（ＩＤ２）は、８０以上〜９９以下に形成し、
前記第一内径（ＩＤ１）大きさは、１００以上〜１１０以下に形成した［１］から［４］のいずれか１に記載の接続部材（１）を提供する。
【００１３】
[６]本発明は、前記固定具（１０、１０´）の第１テーパーＴＰ１の勾配（θ１）を、１５度〜７５度に形成した［１］から［５］のいずれか１に記載の接続部材（１）を提供する。
[７]本発明は、前記オスコネクタ（２）を硬質部材で形成し、前記固定具（１０、１０´）を半硬質部材で形成するか、または
前記オスコネクタ（２）を半硬質部材で形成し、前記固定具（１０、１０´）を硬質部材で形成した［１］から［６］のいずれか１に記載の接続部材（１）を提供する。
[８]本発明は、前記固定具（１０´）の後方部（１０Ｂ）は、第３内径ＩＤ３を有し、
当該第３内径ＩＤ３は、前記第１テーパーＴＰ１の第２端部側から前記突起部（１１Ｔ´）の段部（１１ＤＳ）に至るまでの内径であり、
当該第３内径ＩＤ３、前記第１内径ＩＤ１及び第２内径ＩＤ２との大きさは、ＩＤ１＞ＩＤ３＞ＩＤ２となるように形成した［１］から［７］のいずれか１に記載の接続部材（１）を提供する。
[９]本発明は、前記係止部（４）の外径４Ｄと前記第３内径ＩＤ３の大きさは、外径４Ｄ＞第３内径ＩＤ３となるように形成した［８］に記載の接続部材（１）を提供する。
[１０]本発明は、［１］から［９］のいずれか１に記載の接続部材（１）を有する医療用具を提供する。
【発明の効果】
【００１４】
本発明の接続部材は、特許文献１に記載の発明と比較して、以下の効果を有する。
〈１〉固定具１０は、軽い力で回転させるのみで、オスコネクタ２の長手方向に沿って第１端部方向へ移動し、オスコネクタ２とメスコネクタ１５を外周から強い力で締め付けることができる。
〈２〉さらにオスコネクタ２の係止部４と、固定具１０の第１テーパーＴＰ１との係合により、固定具が第２端部方向（オスコネクタとメスコネクタとを締め付けを緩める方向）へ移動するのを確実に阻止することができる。
〈３〉さらにオスコネクタ２の係止部４と、固定具１０´のストレート部１１Ｓ、段部１１ＤＳとの摩擦抵抗、接触とにより、固定具１０´が第２端部方向（オスコネクタとメスコネクタとを締め付けを緩める方向）へ移動するのを確実に阻止することができる。
【図面の簡単な説明】
【００１５】
【図１】図１は本発明の接続部材に使用される固定具の概略図である。（Ａ）は正面図、（Ｂ）は右側面図、（Ｃ）は左側面図、（Ｄ）は（Ａ）のＡ−Ａ断面図、（Ｅ）はＣの一部拡大図、（Ｆ）はＤの一部拡大図である。
【図２】図２は図１の固定具の拡大断面図である。
【図３】図３は図２の第２端部側の一部拡大図である。
【図４】図４は本発明の接続部材のオスコネクタとメスコネクタの接続前を示す概略図である。（Ａ）は正面図、（Ｂ）は（Ａ）の縦断面［（Ｅ）のＡ−Ａ断面図］、（Ｃ）は斜見図、（Ｄ）は（Ｃ）を１８０°背面から見た斜見図、（Ｅ）は（Ａ）の右続面図である。［以下、図５〜図６、図８〜図１０の（Ａ）〜（Ｅ）も図４と同じである］
【図５】図５は本発明の接続部材のオスコネクタとメスコネクタの接続開始を示す概略図である。（Ｂ）は（Ａ）の縦断面［（Ｅ）のＢ−Ｂ断面図］である。
【図６】図６は本発明の接続部材のオスコネクタとメスコネクタの接続途中を示す概略図である。
【図７】図７は本発明の接続部材の使用状態（オスコネクタとメスコネクタを接続し、固定具で締め付けているところ）の拡大図である。（Ａ）は拡大図、（Ｂ）は（Ａ）の一部拡大図である。
【図８】図８は本発明の接続部材のオスコネクタとメスコネクタの接続し、固定具で締め付けた状態を示す概略図である。
【図９】図９は本発明の接続部材のオスコネクタとメスコネクタの取り外しを開始したところの概略図である。
【図１０】図１０は本発明の接続部材のオスコネクタとメスコネクタの取り外した状態の概略図である。
【図１１】図１１は、固定具のその他の実施例を示す拡大断面図である。
【図１２】図１２は、図１１の固定具を使用した本発明の接続部材の使用状態（オスコネクタとメスコネクタを接続し、固定具で締め付けているところ）の拡大図である。
【図１３】図１３は、図１１の固定具を使用した本発明の接続部材の使用状態（オスコネクタとメスコネクタを接続し、固定具で締め付けているところ）の拡大図である。
【図１４】図１４は、公知の接続部材その使用状態図である。（Ａ）はオスコネクタとメスコネクタの接続前、（Ｂ）は接続開始、（Ｃ）は固定具で締め付ける状態、（Ｄ）は固定具の締め付けを緩める状態を示す概略図である。
【図１５】図１５は、特許文献１に記載の接続部材の概略図である。
【発明を実施するための形態】
【００１６】
以下、図面を参照しながら本発明を詳細に説明する。
本発明の接続部材１は、オスコネクタ２と固定具１０とメスコネクタ１５とを有する。
図１〜図１０に例示するように、本発明の接続部材１を構成するオスコネクタ２、固定具１０、及びメスコネクタ１５は管状の部材である。管状とは、チューブ状または筒状という場合もある。
これらの管状の部材、当該管状の部材の形態を一部でも含むオスコネクタ２、固定具１０、及びメスコネクタ１５の各構成部品は、長手方向と当該長手方向に略垂直に交差する側部方向とを有する。側部方向は、または外周方向、径方向、半径方向という場合もある。
【００１７】
オスコネクタ２、固定具１０、及びメスコネクタ１５の各構成部品は、それぞれ長手方向に第１端部と第２端部とを有する。
以下、本発明の説明で、オスコネクタ２の第１端部とは、メスコネクタ１５と接続する際に、メスコネクタ１５に近い端部のことを意味する。オスコネクタ２の第２端部とは、メスコネクタ１５から遠い端部のことを意味する。
メスコネクタ１５の第１端部とは、オスコネクタ２と接続する際に、オスコネクタ２から遠い端部を意味する。メスコネクタ１５の第２端部とは、オスコネクタ２に近い端部を意味する。
固定具１０の第１端部とは、メスコネクタ１５に近い端部を意味する。固定具１０の第２端部とは、メスコネクタ１５から遠い端部を意味する。
【００１８】
［オスコネクタ］
オスコネクタ２は、図４（Ａ）、（Ｂ）に例示するように、第１端部側の前方部２Ｆと第２端部側の後方部２Ｂとからなり、前方部２Ｆと後方部２Ｂとの間の中間部２Ｍの側部方向に、係止部４を突設している。
前方部２Ｆの内外壁は、図４（Ａ）、（Ｂ）に例示するように第２端部側から第１端部側に下るテーパー（図中、符号の記載は略）を形成している。
第１端部側のテーパー（図中、符号の記載は略）は、勾配をわずかに大きくしている。
【００１９】
係止部４は、（後述するように）前方部２Ｆをメスコネクタ１５の後方部１５Ｂに挿入して接続した後、これらの接続部をさらに側部方向から固定具１０で締め付けて固定する時に、（後述する固定具１０の第１テーパーＴＰ１とともに）固定具１０が第２端部側に移動して、締め付けが緩むのを防ぐストッパーとしての役割を果たす。
係止部４は、中間部２Ｍの側部方向の全域に、フランジ状（または鍔部という場合もある）に形成するのがよいが、側部方向の一部に、不連続状に形成してもよい。
要するに、係止部４は第２端部側が、固定具１０の第１テーパーＴＰ１に係合できる
形態に形成されておればよい。
係止部４は、図３に一部点線（破線）で例示するように、側部方向に延びる外径４Ｄを有する。詳細は後述する。
【００２０】
［固定具１０］
固定具１０は、図１、図２に例示するように第１端部側の前方部１０Ｆと第２端部側の後方部１０Ｂとからなる。
前方部１０Ｆは、外径（側部方向の長さ）を（後方部１０Ｂと比較して）大径に形成している。前方部１０Ｆは、図１、図２に例示するように第１端部側（前方）から略中間部に至る部分を含む。
前方部１０Ｆは、内壁面に螺子１１を形成している。螺子１１は、（後述する）メスコネクタ１５の螺子１８と螺合される。
後方部１０Ｂは、外径の大部分を（前方部１０Ｆと比較して）小径に形成している。
後方部１０Ｂの第１端部側の内壁と、前方部１０Ｆの第２端部側の内部との間に、段部１０ＤＳを形成している。
以下後方部１０Ｂの第１端部側の内壁を段部１０ＤＳ（図２参照）として記載する。
【００２１】
後方部１０Ｂは、第２端部側に開口部Ｏ（図２参照）を形成している。
後方部１０Ｂの内壁面は、第２端部側の開口部Ｏから第１端部側に向けて、第２テーパーＴＰ２、突部１１Ｔ、第１テーパーＴＰ１を形成している。
第２テーパーＴＰ２は、図２に示すように第２端部側から第１端部側に下るように形成している。
第１テーパーＴＰ１は、図２に示すように第２端部側から第１端部側に上るように形成している。
図２、図３の例示では、第２テーパーＴＰ２の勾配（θ２）は、第1テーパーＴＰ１の勾配（θ１）より大きく形成しているが、第１テーパーＴＰ１の勾配（θ１）は、第２テーパーＴＰ２の勾配（θ２）より大きく形成してもよい。また第１テーパーＴＰ１の勾配（θ１）と、第２テーパーＴＰ２の勾配（θ２）は、実質的に同じに形成してもよい。
【００２２】
後方部１０Ｂは、第１内径ＩＤ１と第２内径ＩＤ２とを有する。
第１内径ＩＤ１は、第１テーパーＴＰ１の第２端部から後方部１０Ｂの第１端部側の内径である。さらにいえば、第１テーパーＴＰ１の第１端部から、段差１０ＤＳに至るまでの内径である。
前記第２内径ＩＤ２は、前記突部１１Ｔを形成した区域の内径である。
さらにいえば、第２内径ＩＤ２は、第１テーパーＴＰ１と第２テーパーＴＰ２との間の内径である。
第１内径ＩＤ１と第２内径ＩＤ２の大きさは、ＩＤ１＞ＩＤ２となるように形成している。
第２テーパーＴＰ２、突部１１Ｔ、第１テーパーＴＰ１のそれぞれの長手方向の長さをそれぞれ、ＬＴＰ２、Ｌ１１Ｔ、ＬＴＰ１とすると、これらの長さの関係は、図２、図３の例示では、ＬＴＰ２＞Ｌ１１Ｔ＞ＬＴＰ１の順に長くなるように形成しているが、固定部材１０（ロックナット）の緩みを防止できるのであれば、これらの長さの関係は、どのようにでも調節することができる。
【００２３】
［後方部１０Ｂの「第１内径ＩＤ１」、「第２内径ＩＤ２」と係止部４の「外径４Ｄ」との関係］
図２〜図４に例示するように、係止部４の外径４Ｄは、固定具１０の後方部１０Ｂの第１内径ＩＤ１よりも小さく形成している。
係止部４の外径４Ｄは、後方部１０Ｂの第２内径ＩＤ２よりも、大きく形成している。
外径４Ｄ、第１内径ＩＤ１及び第２内径ＩＤ２の大きさの関係は、（Ａ）第１内径ＩＤ１＞外径４Ｄ＞第２内径ＩＤ２の順に大きく形成している。
または外径４Ｄと、第１内径ＩＤ１を同じに大きさに形成し、外径４Ｄと第１内径ＩＤ１とを、第２内径ＩＤ２よりも大きく形成するようにしてもよい。
すなわち（Ｂ）（第１内径ＩＤ１＝外径４Ｄ）＞第２内径ＩＤ２。
係止部４の外径４Ｄは、少なくとも第２端部側の外径４Ｄが、前記（Ａ）、（Ｂ）の条件を充足すればよい。
【００２４】
係止部４の外径４Ｄの大きさ（径）を１００とすると、ＩＤ２は、８０以上〜９９以下、例えば、８０、８５、９０、９１〜９９、９５〜９９、９６〜９９、９７〜９９、９８〜９９に形成する。
ＩＤ２の大きさ（径）があまり大きくする（９９を超える）と、第１テーパーＴＰ１を形成しづらくなる。すなわち、第１テーパーＴＰ１の勾配（θ１）が小さくなりすぎて、オスコネクタ２の係止部４の第２端部側と接触したときに、摩擦抵抗が生じにくくなる。換言すれば、係合感ないし嵌合感がなくなる。このため固定部１０が第２端部側に移動しやすくなり、ひいては、オスコネクタ２とメスコネクタ１５の接続部の締め付けが緩みやすくなるので好ましくない。
逆にＩＤ２の大きさ（径）があまり小さくする（８０未満）と、（オスコネクタ２の第２端部側に接続した）第２チューブＴＢ２の外周に、接触ないし引っ掛かりやすくなり、ひいては固定部材１０が、第１端部側に移動しにくくなるので好ましくない。
【００２５】
係止部４の外径４Ｄの大きさ（径）を１００とすると、ＩＤ１の大きさは、１００（以上）〜１１０（以下）、好ましくは１００〜１０５、より好ましくは、１０１〜１０３に形成する。
ＩＤ１の大きさをあまり小さく（１００未満）すると、オスコネクタ２の係止部４に接触ないし引っ掛かりやすくなり、ひいては固定部材１０が、第１端部側に移動しにくくなるので好ましくない。
ＩＤ１の大きさをあまり大きく（１１０を超える）すると、（ａ）第１テーパーＴＰ１の勾配（θ１）が大きくなりすぎ、オスコネクタ２の係止部４の第２端部側と接触したときに、摩擦抵抗が生じにくくなる。換言すれば、係合感ないし嵌合感がなくなる。このため固定部１０が第２端部側に移動しやすくなり、ひいては、オスコネクタ２とメスコネクタ１５の接続部の締め付けが緩みやすくなるので好ましくない。また（ｂ）係止部４との間の隙間が大きくなり、第１端部側に移動する際に、ガタついて、斜めに傾き、直進しずらくなるので好ましくない。
【００２６】
以上のように第１テーパーＴＰ１の勾配（θ１）は、あまり小さくしすぎても、また
あまり大きくしすぎても好ましくない。
第１テーパーＴＰ１の勾配（θ１）は、１５度〜７５度、好ましくは２０度〜７０度、より好ましくは２５度〜６５度、さらに好ましくは３０度〜６０度、３５度〜５５度、４５〜５０度の間に形成するのがよい。
【００２７】
［後述する図８のように］固定部１０で、オスコネクタ２とメスコネクタ１５の接続部を外周から締め付けているときでも、オスコネクタ２の係止部４の第２端部側と固定部１０の第１テーパーＴＰ１との接触部（係合部）との摩擦抵抗により、固定部１０が第２端部側に移動して、オスコネクタ２とメスコネクタ１５の接続部の締め付けを緩むことがない。
【００２８】
固定具１０は、オスコネクタ２とメスコネクタ１５の接続部を外側から覆って固定できるものであれば何でも採用することができる。
例えばいわゆるルアーロック（またはロックナットともいう）等を使用することができる。
【００２９】
［メスコネクタ１５］
メスコネクタ１５は、図４（Ｂ）に例示するように、第１端部側の前方部１５Ｆと第２端部側の後方部１５Ｂとからなる。
前方部１５Ｆは、側部方向に翼状の突起部１９を形成し、内壁にチューブ接続部１６（溝ないし凹部ともいう）を形成している。
後方部１５Ｂは、第２端部側の側部方向に螺子１８を形成している。
後方部１５Ｂの内周壁は、第２端部側から第１端部側に下るテーパー（図中の符号略）を形成して、オスコネクタ２の前方部２Ｆ（テーパーを有する、図中の符号略）が挿入できるように形成している。
螺子１８は、固定具１０の螺子１１と螺合される。
【００３０】
なお本発明では、螺子１１、１８は、図１〜図１０では、「右螺子」を現わしている。
「右螺子」とは、当該右螺子を形成した部品を右方向（時計と同じ方向）に回転させると前進し、左方向（時計と反対方向）に回転させると後退する螺子を意味する。
なお「左螺子」とは、当該左螺子を形成した部品を左方向（時計と反対方向）に回転させると前進し、右方向（時計と同じ方向）に回転させると後退する螺子を意味する。
【００３１】
本願発明の接続部材１の使用方法の一例について、図３〜図１０を参照しながら説明する。
（１）図４の例示では、第１端部側から第２端部側に向けて、メスコネクタ１５、オスコネクタ２、固定具１０の順に配置している。
メスコネクタ１５の第１端部側には、第１チューブＴＢ１を接続し、オスコネクタ２の第２端部側には、第２チューブＴＢ２をそれぞれ接続している。
（２）図５に例示するように、第２チューブＴＢ２の外周に、第２端部側から固定具１０を装着する。
オスコネクタ２の前方部２Ｆの第１端部側を、メスコネクタ１５の後方部１５Ｂの第２端部側から挿入し、メスコネクタ１５の前方部１５Ｆ側へ押し進める。
【００３２】
（３）図５〜図６に例示するように固定具１０を右回転させて、固定具１０の前方部１０Ｆの第１端部側が、オスコネクタ２の係止部４を乗り超えて、メスコネクタ１５の第２端部側の壁に接触ないし近づく。
（４）さらにオスコネクタ２の前方部２Ｆの第１端部側を、メスコネクタ１５の後方部１５Ｂの第２端部側へ深く挿入し、固定具１０を右回転させる。
螺子１１がオスコネクタ２の係止部４に沿って、右回転することにより、固定具１０が第１端部方向へ移動する。
図７（Ａ）に例示するように固定具１０の第１端部側の螺子１１がメスコネクタ１５の第二端部側の螺子１８に引っかかった後、固定具１０をさらに右回転させると、固定具１０の螺子１１とメスコネクタ１５の螺子１８同士の相互の螺子作用により、固定具１０はメスコネクタ１５方向に移動して、図８に示すようにオスコネクタ２とメスコネクタ１５の接続部を外周から覆う。
【００３３】
図８（Ｂ）に示すように、オスコネクタ２の係止部４の第２端部側が、第１テーパーＴ１に接触して、係合される。
図８（Ｂ）のように、固定具１０の前方部１０Ｆの内壁で、オスコネクタ２とメスコネクタ１５の接続部を側部方向から締め付けることができる。
係止部４の第２端部側が、第１テーパーＴ１に係合され、これらのオスコネクタ２の係止部４の第２端部側と固定部１０の第１テーパーＴＰ１と接触部の摩擦抵抗により、固定部１０が緩む方向（第２端部側）に移動して、オスコネクタ２とメスコネクタ１５の接続部の締め付けを緩むことがない。
【００３４】
（５）オスコネクタ２をメスコネクタ１５から取り外す場合は、図９に例示するように、固定具１０を左回転すると、固定具１０の螺子１１とメスコネクタ１５の螺子１８同士の相互の螺子作用により、固定具１０が第２端部側へ移動し、オスコネクタ２の係止部４の第２端部側と固定具１０の第１テーパーＴＰ１との係合がはずれる。
（６）図１０に例示するように、固定具１０をオスコネクタ２に装着した状態で、第２端部側へ移動させて、オスコネクタ２とメスコネクタ１５との接続を解除する。
【００３５】
また本発明の接続部材１において、前記固定具１０に代えて、図１１の固定具１０´を採用することができる。
固定具１０´は、突起部１１Ｔ´の第１端部側に、段部１１ＤＳを形成したものである。
さらにいえば、第１テーパーＴＰ１の第２端部側にストレート部１１Ｓ（長手方向に沿ってストレートに形成された部分）を形成し、当該ストレート部１１Ｓの第２端部側に段部１１ＤＳを形成している。
固定具１０´は、突起部１１Ｔ´の第１端部側が段部１１ＤＳになっている。
第１テーパーＴＰ１は、オスコネクタ２のいわゆる「さそい」として機能する。
ストレート部１１Ｓは、オスコネクタ２のいわゆる「緩み防止」として機能する。
段部１１ＤＳは、オスコネクタ２のいわゆる「ストッパー」として機能する。
以下、図１１の固定具１０´について説明する。
〈１〉図１２に示すように、オスコネクタ２の係止部４の第２端部４．２Ｔ側が、第１テーパーＴＰ１に接触する。
〈２〉前記係止部４の第２端部４．２Ｔは、第１テーパーＴＰ１に沿って下るように、第２端部方向に移動する。
〈３〉図１３に示すように、前記係止部４の第２端部４．２Ｔは、ストレート部１１Ｓを経て、段部１１ＤＳと接触する。
【００３６】
前記係止部４の第２端部４．２Ｔ側は、外側（外周）から固定具１０´のストレート部１１Ｓより外圧を受け、段部１１ＤＳに接触して固定される。
これによりオスコネクタ２の係止部４の第２端部４．２Ｔ側は、ストレート部１１Ｓとの摩擦抵抗と、段部１１ＤＳ（ストッパー）との接触により、固定部１０´が緩む方向（第２端部側）に移動して、オスコネクタ２とメスコネクタ１５の接続部の締め付けを緩むことがない。
【００３７】
固定具１０´は、後方部１０Ｂの第１内径ＩＤ１と第２内径ＩＤ２との間に第３内径ＩＤ３を有する。
第３内径ＩＤ３は、第１テーパーＴＰ１の第２端部側から突起部１１Ｔ´の第１端部側（段部１１ＤＳ）に至るまでの内径である。
第３内径ＩＤ３は、長さＬ１１Ｓを有する。
第１内径ＩＤ１、第２内径ＩＤ２及び第３内径ＩＤ３の大きさは、ＩＤ１＞ＩＤ３＞ＩＤ２となるように形成している。
前記したようにストレート部１１Ｓに、オスコネクタ２のいわゆる「緩み防止」機能を付与するために、係止部４の外径４Ｄの大きさ（径）を１００とすると、ＩＤ３の大きさは、９９〜９５、好ましくは９９〜９７、より好ましくは９８に形成するのが良い。
第２テーパーＴＰ２、突部１１Ｔ、第１テーパーＴＰ１、ストレート部１１Ｓのそれぞれの長手方向の長さをそれぞれ、ＬＴＰ２、Ｌ１１Ｔ、ＬＴＰ１、長さＬ１１Ｓとすると、これらの長さの関係は、図１１の例示では、Ｌ１１Ｓ＞Ｌ１１Ｔ＞ＬＴＰ２＞ＬＴＰ１の順に長くなるように形成しているが、固定部材１０（ロックナット）の緩みを防止できるのであれば、これらの長さの関係は、どのようにでも調節することができる。
【００３８】
固定具１０、オスコネクタ２、メスコネクタ２の構成材料として、硬質部材ないし半硬質部材が好ましい。
硬質部材ないし半硬質部材であれば何でもよいが、その中でも、例えばポリカーボネート、ポリエチレン、ポリプロピレン、ポリスチレン、ＡＢＳ、メタクリル樹脂、アクリル樹脂等の硬質ないし半硬質プラスチック等が使用される。
なお硬質部材とは曲げ弾性率が７００ＭＰａ（ＡＳＴＭ Ｄ７９０）以上の硬質プラスチックを全て含み、半硬質部材とは曲げ弾性率が７０ＭＰａを超え７００ＭＰａ未満の半硬質プラスチックを全て含む。
【００３９】
本願発明では、オスコネクタ２の係止部４の第２端部側と固定部１０の第１テーパーＴＰ１との接触部［係合部］との摩擦抵抗により、係合を維持するものであるから、オスコネクタ２を硬質の樹脂で形成し、固定具１０を半硬質の樹脂で形成するのが好ましい。
また、オスコネクタ２を半硬質の樹脂で形成し、固定具１０を硬質の樹脂で形成してもよい。
【符号の説明】
【００４０】
１接続部材
２オスコネクタ
２Ｆ      前方部
２Ｍ      中間部
２Ｂ      後方部
４        係止部
４．２Ｔ  係止部第２端部
１０      固定具（ルアーロック）
１０´ 固定具（ルアーロック）
１０Ｆ  前方部
１０Ｂ  後方部
１０ＤＳ  段部
１１      螺子
１１Ｔ  突起部
１１Ｔ´突起部
１１ＤＳ  段部
１１Ｓ  ストレート部
１５    メスコネクタ
１５Ｆ  前方部
１５Ｂ  後方部
１８    螺子
１９    翼状の突起部
ＴＢ１  第１チューブ
ＴＢ２  第２チューブ
【図１】
2013090914.tif 000003
【図２】
2013090914.tif 000004
【図３】
2013090914.tif 000005
【図４】
2013090914.tif 000006
【図５】
2013090914.tif 000007
【図６】
2013090914.tif 000008
【図７】
2013090914.tif 000009
【図８】
2013090914.tif 000010
【図９】
2013090914.tif 000011
【図１０】
2013090914.tif 000012
【図１１】
2013090914.tif 000013
【図１２】
2013090914.tif 000014
【図１３】
2013090914.tif 000015
【図１４】
2013090914.tif 000016
【図１５】
2013090914.tif 000017